(57)【要約】【課題】非同期ＷＣＤＭＡ通信システムにおいて、逆方向トラヒック転送率を效率よく制御して速い転送率変化を伴う転送率スケジューリングの遂行と、転送率割当情報の伝達のための方法及び装置を提供する。【解決手段】逆方向スケジューリングにより逆方向転送率を割り当てるパケット通信システムにおいて基地局は、逆方向チャネルの現在転送率を決定し、該現在転送率と逆方向チャネルで使用された以前転送率との差が２段階以上であれば、現在転送率を表す転送率指示情報を転送し、現在転送率と以前転送率との差が０または１段階であれば、現在転送率の以前転送率に対する変化を表す転送率増加／減少情報を転送する。また、基地局は、周期的にまたはイベント反応原則によって、転送率増加／減少情報の代わりに転送率指示情報を転送することも可能である。【選択図】図６
2005117654.tif 000002
【特許請求の範囲】
【請求項１】
基地局制御スケジューリングを通じて逆方向転送率を割り当てるパケット通信システムにおいて、基地局が逆方向転送率の割当情報を端末に転送する方法であって、
逆方向パケットデータサービスを遂行する端末のために、逆方向チャネルの現在転送率を決定するステップと、
前記決定された現在転送率を、前記逆方向チャネルの以前転送率と比較するステップと、
前記現在転送率と前記以前転送率との差が１段階よりも大きければ、前記現在転送率を表す転送率指示情報を、前記端末に転送するステップと、
前記現在転送率と前記以前転送率との差が０または１段階であれば、前記現在転送率の前記以前転送率に対する変化を表す転送率増加／減少情報を、前記端末に転送するステップと、
を備えることを特徴とする方法。
【請求項２】
前記現在転送率を決定するステップは、
逆方向転送で使用可能な複数段階の転送率を格納する転送率テーブルから、前記現在転送率に該当する段階を選択するステップを備えることを特徴とする請求項１に記載の方法。
【請求項３】
前記転送率指示情報を転送するステップは、
前記転送率指示情報を前記端末自身の識別子と多重化するステップを備えることを特徴とする請求項１に記載の方法。
【請求項４】
前記転送率指示情報を転送するステップは、
前記転送率指示情報を前記端末の識別子と多重化するステップと、
前記多重化したデータに、前記転送率指示情報に対する誤り訂正情報を付加するステップと、
前記誤り訂正情報の付加されたデータに、テールビットを付加するステップと、
前記テールビットの付加されたデータを畳み込み符号化するステップと、
前記畳み込み符号化したデータを変調し、該変調したデータを、転送率指示チャネルを通して転送するステップと、
を備えることを特徴とする請求項１に記載の方法。
【請求項５】
前記転送率増加／減少情報を転送するステップは、
前記現在転送率が前記以前転送率に比べて１段階高ければ、前記転送率増加／減少情報を、転送率増加と設定するステップと、
前記現在転送率が前記以前転送率と等しければ、前記転送率増加／減少情報を、転送率保持と設定するステップと、
前記現在転送率が前記以前転送率に比べて１段階低ければ、前記転送率増加／減少情報を、転送率減少と設定するステップと、
を備えることを特徴とする請求項１に記載の方法。
【請求項６】
前記転送率増加／減少情報を転送するステップは、
前記転送率増加／減少情報を繰り返し符号化するステップと、
前記繰り返し符号化したデータを変調し、該変調したデータを、転送率指示チャネルを通して転送するステップと、
を備えることを特徴とする請求項１に記載の方法。
【請求項７】
基地局制御スケジューリングを通じて逆方向転送率を割り当てるパケット通信システムにおいて、端末が逆方向転送率の割当情報を基地局から受信する方法であって、
基地局から、逆方向転送率を表す転送率指示情報及び端末識別子を受信するステップと、
前記端末識別子が前記端末自身の識別子と一致すれば、前記転送率指示情報に設定された転送率によって、逆方向パケットデータサービスのための逆方向チャネルの現在転送率を決定するステップと、
前記転送率指示情報に含まれた端末識別子が、前記端末自身の識別子と一致しなければ、前記基地局から転送率増加／減少情報を受信するステップと、
前記転送率増加／減少情報によって、前記逆方向チャネルの以前転送率を１段階調整したり保持し、該調整または保持した転送率を、前記逆方向チャネルの現在転送率として決定するステップと、
を備えることを特徴とする方法。
【請求項８】
前記転送率指示情報によって前記現在転送率を決定するステップは、
逆方向転送で使用可能な複数段階の転送率を格納する転送率テーブルから、前記転送率指示情報に該当する段階の転送率を選択するステップを備えることを特徴とする請求項７に記載の方法。
【請求項９】
前記転送率指示情報及び端末識別子を受信するステップは、
転送率指示チャネルの受信信号を復調するステップと、
前記復調した信号を逆多重化することによって、前記転送率指示情報を含む信号を抽出するステップと、
前記転送率指示情報を含む信号をビタビ復号するステップと、
前記ビタビ復号したデータに対して誤り検査を遂行するステップと、
前記誤り検査したデータを逆多重化することによって、前記転送率指示情報と前記端末識別子を抽出するステップと、
を備えることを特徴とする請求項７に記載の方法。
【請求項１０】
前記転送率増加／減少情報によって前記現在転送率を決定するステップは、
前記転送率増加／減少情報が転送率増加を表すと、前記以前転送率を１段階増加させ、この増加した転送率を現在転送率として決定するステップと、
前記転送率増加／減少情報が保持を表すと、前記以前転送率を現在転送率として保持するステップと、
前記転送率増加／減少情報が転送率減少を表すと、前記以前転送率を１段階減少させ、この減少した転送率を現在転送率として決定するステップと、
を備えることを特徴とする請求項７に記載の方法。
【請求項１１】
前記転送率増加／減少情報を受信するステップは、
転送率指示チャネルの受信信号を復調するステップと、
前記復調した信号を逆多重化することによって、前記転送率増加／減少情報を含む信号を抽出するステップと、
前記転送率増加／減少情報を含む信号を繰り返し復号することによって、前記転送率増加／減少情報を抽出するステップと、
を備えることを特徴とする請求項７に記載の方法。
【請求項１２】
基地局制御スケジューリングを通じて逆方向転送率を割り当てるパケット通信システムにおいて、基地局が逆方向転送率の割当情報を端末に転送する方法であって、
逆方向パケットデータサービスを遂行する端末のために、逆方向チャネルの現在転送率を決定するステップと、
現在区間で、前記現在転送率を表す転送率指示情報の転送が可能か否かを判断するステップと、
前記転送率指示情報の転送が可能であれば、前記現在転送率を以前転送率と比較するステップと、
前記現在転送率と前記以前転送率との差が１段階よりも大きければ、前記現在転送率を表す前記転送率指示情報を転送するステップと、
前記現在区間で前記転送率指示情報の転送が不可能であるか、前記差が０または１段階であれば、前記現在転送率の前記以前転送率に対する変化を表す転送率増加／減少情報を、前記端末に転送するステップと、
を備えることを特徴とする方法。
【請求項１３】
前記転送率指示情報の転送可否を判断するステップは、
前記現在区間が、予め設定される前記転送率指示情報の転送周期によって設定された区間であれば、前記転送率指示情報の転送が可能であると判断するステップを備えることを特徴とする請求項１２に記載の方法。
【請求項１４】
前記転送率指示情報の転送可否を判断するステップは、
予め設定される所定時間以内に前記端末から端末状態情報を受信すると、前記転送率指示情報の転送が可能であると判断するステップを備えることを特徴とする請求項１２に記載の方法。
【請求項１５】
前記転送率指示情報の転送可否を判断するステップは、
前記現在区間が、予め設定される前記転送率指示情報の転送周期によって設定された区間であるか、予め設定される所定時間以内に前記端末から端末状態情報を受信し場合に、前記転送率指示情報の転送が可能であると判断することを特徴とする請求項１２に記載の方法。
【請求項１６】
前記現在転送率を決定するステップは、
逆方向転送で使用可能な複数段階の転送率を格納する転送率テーブルから、該当する段階の転送率を選択するステップを備えることを特徴とする請求項１２に記載の方法。
【請求項１７】
前記転送率指示情報を転送するステップは、
前記転送率指示情報を前記端末の識別子と多重化するステップを備えることを特徴とする請求項１２に記載の方法。
【請求項１８】
前記転送率指示情報を転送するステップは、
前記転送率指示情報を前記端末の識別子と多重化するステップと、
前記多重化したデータに、前記転送率指示情報に対する誤り訂正情報を付加するステップと、
前記誤り訂正情報の付加されたデータに、テールビットを付加するステップと、
前記テールビットの付加されたデータを、畳み込み符号化するステップと、
前記畳み込み符号化したデータを変調し、該変調したデータを、転送率指示チャネルを通して転送するステップと、
を備えることを特徴とする請求項１２に記載の方法。
【請求項１９】
前記転送率増加／減少情報を転送するステップは、
前記現在転送率が前記以前転送率に比べて１段階高ければ、前記転送率増加／減少情報を、転送率増加と設定するステップと、
前記現在転送率が前記以前転送率と等しければ、前記転送率増加／減少情報を、転送率保持と設定するステップと、
前記現在転送率が前記以前転送率に比べて１段階低ければ、前記転送率増加／減少情報を、転送率減少と設定するステップと、
を備えることを特徴とする請求項１２に記載の方法。
【請求項２０】
前記転送率増加／減少情報を転送するステップは、
前記転送率増加／減少情報を繰り返し符号化するステップと、
前記繰り返し符号化したデータを変調し、該変調したデータを、転送率指示チャネルを通して転送するステップと、
を備えることを特徴とする請求項１２に記載の方法。
【請求項２１】
基地局制御スケジューリングを通じて逆方向転送率を割り当てるパケット通信システムにおいて、端末が逆方向転送率の割当情報を基地局から受信する方法であって、
現在区間で、現在区間の逆方向転送率を表す転送率指示情報の受信が可能であるか判断するステップと、
前記転送率指示情報の受信が可能であれば、基地局から前記転送率指示情報と端末識別子を受信するステップと、
前記端末識別子が前記端末自身のものと一致すれば、前記転送率指示情報が表す転送率によって、逆方向パケットデータサービスのための逆方向チャネルの現在転送率を決定するステップと、
前記現在区間で前記転送率指示情報の受信が不可能であるか、前記端末識別子が前記端末自身のものと一致しないと、前記基地局から転送率増加／減少情報を受信するステップと、
前記転送率増加／減少情報によって、前記逆方向チャネルの以前転送率を１段階調整したり保持し、該調整または保持した転送率を、前記逆方向チャネルの現在転送率として決定するステップと、
を備えることを特徴とする方法。
【請求項２２】
前記転送率指示情報の受信可否を判断するステップは、
前記現在区間が、予め設定される前記転送率指示情報の反復周期によって設定された区間であれば、前記転送率指示情報の受信が可能であると判断するステップを備えることを特徴とする請求項２１に記載の方法。
【請求項２３】
前記転送率指示情報の受信可否を判断するステップは、
予め設定される所定時間以内に前記基地局に端末状態情報を送信した場合に、前記転送率指示情報の受信が可能であると判断するステップを備えることを特徴とする請求項２１に記載の方法。
【請求項２４】
前記転送率指示情報の受信可否を判断するステップは、
前記現在区間が、予め設定される前記転送率指示情報の反復周期によって設定された区間であるか、予め設定される所定時間以内に前記基地局に端末状態情報を送信した場合に、前記転送率指示情報の受信が可能であると判断するステップを備えることを特徴とする請求項２１に記載の方法。
【請求項２５】
前記転送率指示情報によって前記現在転送率を決定するステップは、
逆方向転送で使用可能な複数段階の転送率を格納する転送率テーブルから、前記転送率指示情報に該当する段階の転送率を選択することを特徴とする請求項２１に記載の方法。
【請求項２６】
前記転送率指示情報と端末識別子を受信するステップは、
転送率指示チャネルの受信信号を復調するステップと、
前記復調した信号を逆多重化することによって、前記転送率指示情報を含む信号を抽出するステップと、
前記転送率指示情報を含む信号をビタビ復号するステップと、
前記ビタビ復号したデータに対して誤り検査を遂行するステップと、
前記誤り検査したデータを逆多重化することによって、前記転送率指示情報と前記端末識別子を抽出するステップと、
を備えることを特徴とする請求項２１に記載の方法。
【請求項２７】
前記転送率増加／減少情報によって前記現在転送率を決定するステップは、
前記転送率増加／減少情報が転送率増加を表すと、前記以前転送率を１段階増加させ、この増加した転送率を現在転送率として決定するステップと、
前記転送率増加／減少情報が保持を表すと、前記以前転送率を現在転送率として保持するステップと、
前記転送率増加／減少情報が転送率減少を表すと、前記以前転送率を１段階減少させ、この減少した転送率を現在転送率として決定するステップと、
を備えることを特徴とする請求項２１に記載の方法。
【請求項２８】
前記転送率増加／減少情報を受信するステップは、
転送率指示チャネルの受信信号を復調するステップと、
前記復調した信号を逆多重化することによって、前記転送率増加／減少情報を含む信号を抽出するステップと、
前記転送率増加／減少情報を含む信号を繰り返し復号することによって、前記転送率増加／減少情報を抽出するステップと、
を備えることを特徴とする請求項２１に記載の方法。
【請求項２９】
基地局制御スケジューリングを通じて逆方向転送率を割り当てるパケット通信システムにおいて、逆方向転送率の割当情報を端末に転送する基地局送信装置であって、
現在区間で、逆方向パケットデータサービスを遂行する端末のために決定された逆方向チャネルの現在転送率を表す転送率指示情報を、転送可能か否か判断する送信制御器と、
現在区間で、前記転送率指示情報の転送が可能であれば、前記転送率指示情報を生成する転送率指示情報生成器と、
前記転送率指示情報を符号化して転送する第１の送信器と、
前記現在区間で前記転送率指示情報の転送が不可能であれば、前記現在転送率を前記逆方向チャネルの以前転送率と比較し、前記現在転送率の前記以前転送率に対する変化を表す転送率増加／減少情報を生成する転送率増加／減少情報生成器と、
前記転送率増加／減少情報を符号化して転送する第２の送信器と、
を備えることを特徴とする送信装置。
【請求項３０】
前記送信制御器は、
前記現在転送率と前記以前転送率との差が１段階よりも大きければ、前記転送率指示情報を転送可能であると判断することを特徴とする請求項２９に記載の送信装置。
【請求項３１】
前記送信制御器は、
前記現在区間が、予め設定される前記転送率指示情報の送信周期によって設定された区間であれば、前記転送率指示情報を転送可能であると判断することを特徴とする請求項２９に記載の送信装置。
【請求項３２】
前記送信制御器は、
予め設定される所定時間以内に、前記端末から端末状態情報を受信すると、前記転送率指示情報を転送可能であると判断することを特徴とする請求項３０に記載の送信装置。
【請求項３３】
前記送信制御器は、
前記現在区間が、予め設定される前記転送率指示情報の送信周期によって設定された区間であるか、予め設定される所定時間以内に、前記端末から端末状態情報を受信した場合に、前記転送率指示情報を転送可能であると判断することを特徴とする請求項３０に記載の送信装置。
【請求項３４】
前記現在転送率に該当する段階は、
逆方向転送で使用可能な複数段階の転送率を格納する転送率テーブルから現在転送率として選択されることを特徴とする請求項２９に記載の送信装置。
【請求項３５】
前記第１の送信器は、
前記転送率指示情報を前記端末の識別子と多重化する多重化器と、
前記多重化したデータに、前記転送率指示情報に対する誤り訂正情報を付加する誤り訂正情報付加器と、
前記誤り訂正情報の付加されたデータに、テールビットを付加するテールビット付加器と、
前記テールビット付加器の出力データを畳み込み符号化する畳み込み符号化器と、から構成されることを特徴とする請求項２９に記載の送信装置。
【請求項３６】
前記転送率増加／減少情報生成器は、
前記現在転送率が前記以前転送率よりも１段階高ければ、前記転送率増加／減少情報を転送率増加と設定し、前記現在転送率が前記以前転送率と等しければ、前記転送率増加／減少情報を保持と設定し、前記現在転送率が前記以前転送率よりも１段階低ければ、前記転送率増加／減少情報を転送率減少と設定することを特徴とする請求項２９に記載の送信装置。
【請求項３７】
前記第２の送信器は、
前記転送率増加／減少情報を繰り返し符号化する反復符号化器で構成されることを特徴とする請求項２９に送信装置。
【請求項３８】
基地局制御スケジューリングを通じて逆方向転送率を割り当てるパケット通信システムにおいて、逆方向転送率の割当情報を基地局から受信する端末受信装置であって、
現在区間で、現在区間の逆方向転送率を表す転送率指示情報を受信可能であるか判断する受信制御器と、
前記転送率指示情報の受信が可能であれば、基地局から前記転送率指示情報を受信する第１の受信器と、
前記転送率指示情報が表す転送率によって、逆方向パケットデータサービスのための逆方向チャネルの現在転送率を決定する転送率指示情報分析器と、
前記現在区間で前記転送率指示情報の受信が不可能であるか、前記端末識別子が前記端末自身のものと一致しないと、前記基地局から転送率増加／減少情報を受信する第２の受信器と、
前記転送率増加／減少情報によって、前記逆方向チャネルの以前転送率を１段階調整したり保持し、該調整または保持した転送率を前記現在転送率として決定する転送率増加／減少情報分析器と、
を備えることを特徴とする受信装置。
【請求項３９】
前記受信制御器は、
前記転送率指示情報と共に受信される端末識別子が、前記端末自身の識別子と一致すれば、前記転送率指示情報を受信可能であると判断することを特徴とする請求項３８に記載の受信装置。
【請求項４０】
前記受信制御器は、
前記現在区間が、予め設定される前記転送率指示情報の受信周期によって設定された区間であれば、前記転送率指示情報を受信可能であると判断することを特徴とする請求項３９に記載の受信装置。
【請求項４１】
前記受信制御器は、
予め設定される所定時間以内に、前記基地局に端末状態情報を送信した場合に、前記転送率指示情報を受信可能であると判断することを特徴とする請求項３９に記載の受信装置。
【請求項４２】
前記受信制御器は、
前記現在区間が、予め設定される前記転送率指示情報の受信周期によって設定された区間であるか、予め設定される所定時間以内に、前記基地局に端末状態情報を送信した場合に、前記転送率指示情報を受信可能であると判断することを特徴とする請求項３９に記載の受信装置。
【請求項４３】
前記転送率指示情報分析器は、
逆方向転送で使用可能な複数段階の転送率を格納する転送率テーブルから、前記転送率指示情報に該当する段階の転送率を選択することを特徴とする請求項３８に記載の受信装置。
【請求項４４】
前記第１の受信器は、
前記転送率指示情報を含む転送率指示チャネルの受信信号をビタビ復号するビタビ復号器と、
前記ビタビ復号したデータに対して、誤り検査を遂行する誤り訂正情報確認部と、
前記誤り検査したデータを逆多重化することによって、前記転送率指示情報と端末識別子を抽出する逆多重化器と、
から構成されることを特徴とする請求項３８に記載の受信装置。
【請求項４５】
前記転送率増加／減少情報分析器は、
前記転送率増加／減少情報が増加を表すと、前記以前転送率を１段階増加させ、該増加した転送率を現在転送率として決定し、前記転送率増加／減少情報が保持を表すと、前記以前転送率を現在転送率として保持し、前記転送率増加／減少情報が減少を表すと、前記以前転送率を１段階減少させ、該減少した転送率を現在転送率として決定することを特徴とする請求項３８に記載の受信装置。
【請求項４６】
前記第２の受信器は、
前記転送率増加／減少情報を含む転送率指示チャネルの受信信号を繰り返し復号することによって、前記転送率増加／減少情報を抽出する反復復号器で構成されることを特徴とする請求項３８に記載の受信装置。
【発明の詳細な説明】
【技術分野】
【０００１】
本発明は、非同期広帯域符号分割多重接続(Wideband Code Division Multiple Access：以下、“ＷＣＤＭＡ”と称する。)通信に関し、特に、逆方向トラヒック転送率を效率よく制御し、速い転送率変化が得られる転送率スケジューリングの遂行と転送率割当情報の伝達のための方法及び装置に関する。
【背景技術】
【０００２】
ヨーロッパ式移動通信システムであるＧＳＭ(Global System for Mobile Communications)を基盤とし、広帯域(Wideband)符号分割多重接続(Code Division Multiple Access：以下、“ＣＤＭＡ”と称する。)を使用する第３世代移動通信システムのＵＭＴＳ(Universal Mobile Telecommunication Service)システムは、全世界の移動電話やコンピュータ使用者に、パケット基盤のテキスト、デジタル化した音声やビデオ、及びマルチメディアデータを、２Ｍｂｐｓ以上の高速で転送できる一貫したサービスを提供する。ＵＭＴＳは、インターネットプロトコル(Internet Protocol：ＩＰ)などのパケットプロトコルを使用するパケット交換方式の接続という仮想接続の概念を使用し、ネットワーク内のいずれの終端にも常に接続可能である。
【０００３】
図１は、ＵＭＴＳシステムの無線接続ネットワーク(UMTS Terrestrial Radio Access Network：以下、“ＵＴＲＡＮ”と称する。)を示す構成図である。
図１を参照すると、ＵＴＲＡＮ(１２)は、無線網制御器(Radio Network Controller：以下、“ＲＮＣ”と称する。)１６ａ，１６ｂとノードＢ(１８ａ，１８ｂ，１８ｃ，１８ｄ)と、を備え、使用者端末(User Equipment：以下、“ＵＥ”と称する。)２０を核心ネットワーク(Core Network)１０に連結する。ノードＢ(１８ａ，１８ｂ，１８ｃ，１８ｄ)の下位には複数のセルが存在することができ、それぞれのＲＮＣ(１６ａ，１６ｂ)は、該当する下位のノードＢ(１８ａ，１８ｂ，１８ｃ，１８ｄ)を制御し、それぞれのノードＢ(１８ａ，１８ｂ，１８ｃ，１８ｄ)は、該当する下位のセルを制御する。一つのＲＮＣと、このＲＮＣによって制御されるノードＢ及びセルをまとめて無線網サブシステム(Radio Network Subsystem：以下、“ＲＮＳ”と称する。)１４ａ，１４ｂと呼ぶ。
【０００４】
ＲＮＣ(１６ａ，１６ｂ)は、自分のサービス領域内にあるノードＢ(１８ａ〜１８ｄ)の無線資源を割り当てたり管理したりする。ノードＢ(１８ａ〜１８ｄ)は、無線資源を提供する役割を担う。無線資源は、セル別に構成されており、ノードＢ(１８ａ〜１８ｄ)が提供する無線資源は、これらノードＢが管理するセルの無線資源を意味する。端末２０は、特定ノードＢの特定セルが提供する無線資源を用いて無線チャネルを構成し、該無線チャネルを通じて通信を遂行することができる。端末２０にとって、ノードＢとセルとの区別は意味がなく、単にセル別に構成される物理階層のみを認識するので、以下でノードＢとセルは同じ意味として取り扱われる。
【０００５】
端末機２０とＲＮＣ(１６ａ，１６ｂ)間のインターフェースは、Ｕｕインターフェースと呼ばれ、その詳細な階層的構造を図２に示す。Ｕｕインターフェースは、端末機とＲＮＣ間に制御信号を交換するために使用される制御平面(Control Plane)と実際データを転送するために使用される使用者平面(User Plane)とに区分される。
【０００６】
図２を参照すると、制御平面シグナリング３０は、ＲＲＣ(Radio Resource Control)階層３４、ＲＬＣ(Radio Link Control)階層４０、ＭＡＣ(Media Access Control)階層４２、及び物理(Physical：以下、“ＰＨＹ”と称する。)階層４４を経て処理され、使用者平面データ３２は、ＰＤＣＰ(Packet Data Control Protocol)階層３６、ＢＭＣ(Broadcast／Multicast Control)階層３８、ＲＬＣ階層４０、ＭＡＣ階層４２、物理階層４４を経て処理される。ここで、物理階層４４は、各セルに位置し、ＭＡＣ階層４２からＲＲＣ階層３４までは、ＲＮＣに位置する。
【０００７】
物理階層４４は、無線転送(Radio Transfer)技術を用いた情報転送サービスを提供する階層であり、ＯＳＩ(Open Systems Interconnection)モデルの第１の階層(Layer 1：Ｌ１)に該当し、転送チャネル(Transport Channels)を介してＭＡＣ階層４２に接続する。この転送チャネルと物理階層とのマッピング関係は、データが物理階層４４で処理される方式によって決定される。
【０００８】
第２の階層(Layer 2：Ｌ２)に該当するＭＡＣ階層４２とＲＬＣ階層４０とは、論理チャネルを介して接続している。ＭＡＣ階層４２は、論理チャネルを通してＲＬＣ階層４０から送られてきたデータを、適宜の転送チャネルを通して物理階層４４に伝達し、転送チャネルを通して物理階層４４から送られてきたデータを、適宜の論理チャネルを通してＲＬＣ階層４０に伝達する役割を担う。また、ＭＡＣ階層４２は、論理チャネルや転送チャネルを通して伝達されたデータに付加情報を挿入したり、挿入された付加情報を解析して適宜の動作を取り、ランダムアクセス動作を制御する。別途図示はしないが、ＭＡＣ階層４２において、使用者平面に関連した部分はＭＡＣ‐ｄと称し、制御平面に関連した部分はＭＡＣ‐ｃと称する。
【０００９】
ＲＬＣ階層４０は、論理チャネルを設定及び解除する機能を担う。ＲＬＣ階層４０は、ＡＭ(Acknowledged Mode)、ＵＭ(Unacknowledged Mode)、ＴＭ(Transparent Mode)の３つの動作モードのいずれかで動作することができる。一般に、ＲＬＣ階層４０は、上位階層から受信したサービスデータユニット(Service Data Unit：以下、“ＳＤＵ”と称する。)を、適宜の大きさに分割したり連結したりする機能及び誤り訂正機能などを遂行する。
【００１０】
ＰＤＣＰ階層３６は、使用者平面においてＲＬＣ階層４０の上位に位置し、ＩＰパケット形態で送られてきたデータのヘッダーを圧縮し復元する機能と、端末の移動性から、特定端末機にサービスを提供するＲＮＣが変更される場合に、無損失データ伝達を制御する機能などを担当する。
【００１１】
物理階層４４と上位階層とを接続させる転送チャネルの特性は、畳み込みチャネル符号化(convolutional channel encoding)、インターリービング(Interleaving)及びサービス固有転送率整合(service-specific rate matching)のような物理階層処理過程を規定している転送形式(Transport Format：ＴＦ)による。
【００１２】
ＵＭＴＳシステムでは、使用者端末(User Equipment：ＵＥ)から基地局(Base Station：ＢＳ)への逆方向(Uplink：ＵＬ)通信においてパケット転送の性能をより向上させるべく、向上した逆方向専用チャネル(Enhanced Uplink Dedicated Channel：以下、“ＥＵＤＣＨ”または“Ｅ‐ＤＣＨ”と称する。)を使用する。Ｅ‐ＤＣＨは、より安定した高速のデータ転送を支援するために、適応的変調／符号化(Adaptive Modulation and Coding：ＡＭＣ)、複合自動再転送要求(Hybrid Automatic Retransmission Request：ＨＡＲＱ)及び基地局制御スケジューリングを採用する。
【００１３】
図３は、無線リンクでＥ‐ＤＣＨを通したデータの転送を示す概念図である。図３を参照すると、参照番号１００は、Ｅ‐ＤＣＨを支援するノードＢを表し、参照番号１０１，１０２，１０３，１０４は、Ｅ‐ＤＣＨを受信する端末を表す。ノードＢ(１００)は、Ｅ‐ＤＣＨを使用する端末１０１〜１０４のチャネル状況を把握し、これら各端末の逆方向データ転送をスケジューリングする。スケジューリングは、システム全体の性能を高めるために、ノードＢ(１００)の雑音増加(Noise Rise)値が、目標雑音増加値を越えないようにする。したがって、ノードＢ(１００)は、遠くにある端末(１０４)には低いデータ転送率を割り当て、近くにある端末１０１には高いデータ転送率を割り当てる。
【００１４】
図４は、Ｅ‐ＤＣＨ送受信のための信号の流れを示す構成図である。図４を参照すると、ステップＳ２０２で、ノードＢと端末は、Ｅ‐ＤＣＨを設定する。このステップＳ２０２は、専用転送チャネル(dedicated transport channel)を通したメッセージの伝達過程を含む。Ｅ‐ＤＣＨが設定されると、ステップＳ２０４で、端末はノードＢにスケジューリング情報を報知する。このスケジューリング情報には、逆方向チャネル情報、つまり送信電力及び端末の余分の電力、バッファーに格納されている、ノードＢに送信すべきデータの量などが含まれる。
【００１５】
ステップＳ２０６で、ノードＢは、スケジューリング情報をモニタリングする。端末の逆方向パケット転送を許容すると決定すれば、ステップＳ２０８で、ノードＢは、端末にスケジューリング割当(Scheduling Assignment)情報を転送する。該スケジューリング割当情報には、許容したデータ転送率及びタイミングなどの転送率割当情報が含まれる。
【００１６】
ステップＳ２１０、端末は、受信した転送率割当情報を用いて、逆方向に転送するＥ‐ＤＣＨの転送形式(Transport format：ＴＦ)を決定し、ステップＳ２１２及び２１４で、Ｅ‐ＤＣＨを通して逆方向(ＵＬ)パケットデータを転送すると同時に、決定したＴＦ情報をノードＢに知らせる。ステップＳ２１６で、ノードＢは、受信したＴＦ情報とパケットデータに対して誤り有無を判断する。判断の結果、誤りが存在すると、ステップＳ２１８で、ＮＡＣＫ(Non-Acknowledge)信号を端末に転送し、誤りが存在しないと、ＡＣＫ(Acknowledge)信号を端末に転送する。後者の場合は、パケットデータの転送が完了し、端末が、新しいデータをＥ‐ＤＣＨを通してノードＢに送るが、前者の場合は、端末が、同じ内容のパケットデータをＥ‐ＤＣＨを通してノードＢに再び送る。
【００１７】
上述の逆方向パケット転送には、様々なスケジューリング方法を使用することができ、ここでは、逆方向スケジューリング方法の一つである転送率スケジューリング(Rate Scheduling)動作について、図５を参照して説明する。
【００１８】
図５は、転送率スケジューリングのための逆方向／順方向の制御情報伝達と、転送率スケジューリングにより制御される逆方向転送率を示す図である。
図５を参照すると、端末(ＵＥ)３０４は、転送率要請情報(Rate Request)３０８とＥ‐ＤＣＨ逆方向パケット３１０を、基地局３０２に転送し、基地局３０２は、逆方向スケジューリングの後に、端末３０４に許容された転送率情報を表す転送率グラント情報(Rate Grant)３０６を転送する。端末３０４と基地局３０２とも、あらかじめ約束された転送率テーブルを備え、この転送率テーブルには、使用可能な複数の転送率が複数の段階にマッピングされ格納されている。
【００１９】
端末３０４は、バッファーに格納されている逆方向データの量及び使用可能な電力余分値を確認し、Ｅ‐ＤＣＨの転送率増加または減少を、転送率要請情報３０８によってノードＢに要請する。この転送率要請情報３０８を受信した基地局３０２は、端末３０４の転送率要請情報だけでなく、基地局３０２の制御を受ける他の端末の転送率要請情報を考慮に入れて、端末３０４の転送率を増加、減少、または保持するかを決定し、この決定結果を転送率グラント情報３０６を用いて端末３０４に知らせる。
【００２０】
より詳細に説明すると、区間(Interval)３１２で、端末３０４は、転送率要請情報３１４を用いて転送率増加を要請する。この転送率要請情報３１４を受信した基地局３０２は、スケジューリングを遂行した後に、区間３１６で、転送率グラント情報３１８を用いて端末３０４に転送率を増加させるように命令する。これによって、端末３０４は、区間３２０で使用した転送率１０よりも１段階増加した転送率１１をもって区間３２２で逆方向パケットを転送することになる。
【００２１】
以上の転送率スケジューリングでは、１度に１段階の転送率しか変化できないため、端末が非常に低い転送率でデータを転送しており、複数段階の転送率を増加する必要がある場合にも、ノードＢは、数回のスケジューリング命令を送信しなければならない。このため、従来の転送率スケジューリングは、転送率変化において柔軟性がなく、端末の希望する転送率を得る際に長い時間遅延を招く、という短所があった。
【発明の開示】
【発明が解決しようとする課題】
【００２２】
上記事情に鑑みて、本発明の目的は、非同期ＷＣＤＭＡ通信システムにおいてＥ‐ＤＣＨを通した逆方向パケット転送のための逆方向スケジューリング方法及び装置を提供することにある。
【００２３】
本発明の他の目的は、非同期ＷＣＤＭＡ通信システムにおいて逆方向パケットの転送率スケジューリングの時間遅延を減らす方法及び装置を提供することにある。
【００２４】
本発明のさらに他の目的は、非同期ＷＣＤＭＡ通信システムにおいて速い転送率変化を得るための逆方向パケット転送スケジューリング方法及び装置を提供することにある。
【課題を解決するための手段】
【００２５】
上記の目的を達成するために、本発明の一の側面は、基地局制御スケジューリングを通じて逆方向転送率を割り当てるパケット通信システムにおいて、基地局が逆方向転送率の割当情報を端末に転送する方法であって、逆方向パケットデータサービスを遂行する端末のために、逆方向チャネルの現在転送率を決定するステップと、前記決定された現在転送率を、前記逆方向チャネルの以前転送率と比較するステップと、前記現在転送率と前記以前転送率との差が１段階よりも大きければ、前記現在転送率を表す転送率指示情報を、前記端末に転送するステップと、前記現在転送率と前記以前転送率との差が０または１段階であれば、前記現在転送率の前記以前転送率に対する変化を表す転送率増加／減少情報を、前記端末に転送するステップと、を備えることを特徴とする。
【００２６】
本発明の他の側面は、基地局制御スケジューリングを通じて逆方向転送率を割り当てるパケット通信システムにおいて、端末が逆方向転送率の割当情報を基地局から受信する方法であって、基地局から、逆方向転送率を表す転送率指示情報及び端末識別子を受信するステップと、前記端末識別子が前記端末自身の識別子と一致すれば、前記転送率指示情報に設定された転送率によって、逆方向パケットデータサービスのための逆方向チャネルの現在転送率を決定するステップと、前記転送率指示情報に含まれた端末識別子が、前記端末自身の識別子と一致しなければ、前記基地局から転送率増加／減少情報を受信するステップと、前記転送率増加／減少情報によって、前記逆方向チャネルの以前転送率を１段階調整したり保持し、該調整または保持した転送率を、前記逆方向チャネルの現在転送率として決定するステップと、を備えることを特徴とする。
【００２７】
本発明のさらに他の側面は、基地局制御スケジューリングを通じて逆方向転送率を割り当てるパケット通信システムにおいて、逆方向転送率の割当情報を端末に転送する基地局送信装置であって、現在区間で、逆方向パケットデータサービスを遂行する端末のために決定された逆方向チャネルの現在転送率を表す転送率指示情報を、転送可能か否か判断する送信制御器と、現在区間で、前記転送率指示情報の転送が可能であれば、前記転送率指示情報を生成する転送率指示情報生成器と、前記転送率指示情報を符号化して転送する第１の送信器と、前記現在区間で前記転送率指示情報の転送が不可能であれば、前記現在転送率を前記逆方向チャネルの以前転送率と比較し、前記現在転送率の前記以前転送率に対する変化を表す転送率増加／減少情報を生成する転送率増加／減少情報生成器と、前記転送率増加／減少情報を符号化して転送する第２の送信器と、を備えることを特徴とする。
【００２８】
本発明のさらに他の側面は、基地局制御スケジューリングを通じて逆方向転送率を割り当てるパケット通信システムにおいて、逆方向転送率の割当情報を基地局から受信する端末受信装置であって、現在区間で、現在区間の逆方向転送率を表す転送率指示情報を受信可能であるか判断する受信制御器と、前記転送率指示情報の受信が可能であれば、基地局から前記転送率指示情報を受信する第１の受信器と、前記転送率指示情報が表す転送率によって、逆方向パケットデータサービスのための逆方向チャネルの現在転送率を決定する転送率指示情報分析器と、前記現在区間で前記転送率指示情報の受信が不可能であるか、前記端末識別子が前記端末自身のものと一致しないと、前記基地局から転送率増加／減少情報を受信する第２の受信器と、前記転送率増加／減少情報によって、前記逆方向チャネルの以前転送率を１段階調整したり保持し、該調整または保持した転送率を前記現在転送率として決定する転送率増加／減少情報分析器と、を備えることを特徴とする。
【発明の効果】
【００２９】
本発明によれば、Ｅ‐ＤＣＨを使用する非同期ＷＣＤＭＡ通信システムにおいて、逆方向パケット転送のための転送率スケジューリングを遂行するに当たって、速い転送率変化を可能にするため、スケジューリングの柔軟性及び全体システムの性能を高めることが可能になる。かつ、転送率割当情報を受信するために転送率指示チャネルをモニタリングする端末の負担を減らすことも可能になる。
【発明を実施するための最良の形態】
【００３０】
以下、本発明の好ましい実施形態について、添付図面を参照しつつ詳細に説明する。なお、下記の説明にあたり、関連する公知機能や構成についての具体的な説明は、本発明の要旨を曖昧にすることを避けるために、適宜省略するものとする。
【００３１】
図６は、本発明の第１の実施形態に従って、逆方向スケジューリングによって決定された転送率割当情報を転送する動作を示す図である。
図６を参照すると、端末４０８は、逆方向パケット４１２をＥ‐ＤＣＨを通して基地局４０２に転送しており、この基地局４０２は、端末４０８の逆方向パケット転送のスケジューリングを制御している。スケジューリングのための順方向情報には、転送率指示情報(Rate Indication)４０４と転送率増加／減少情報(Rate Up／Down)４０６があり、逆方向情報には、端末４０８のスケジューリング情報を表す端末状態情報(UE status report)４１０がある。
【００３２】
Ｅ‐ＤＣＨの逆方向パケットの送信のために、端末４０８は、まず端末状態情報４１０を基地局４０２に転送する。このときに、端末４０８は、基地局４０２と情報交換無しで、しきい値よりも低い転送率(すなわち、転送率１)をもってＥ‐ＤＣＨの逆方向パケットを転送することができる。
【００３３】
基地局４０２は、多数の端末からの端末状態情報を集め、スケジューリングを通じて各端末に割り当てる転送率を決定し、この転送率割当情報を端末４０８または他の端末(図示せず)に送信する。この転送率割当情報には、転送率指示情報４０４と転送率増加／減少情報４０６が含まれる。端末４０８の転送率が、２段階以上変化する場合に、基地局４０２は、転送率指示情報４０４を用いて、割り当てられた転送率を端末４０８に直接知らせる。これに対し、転送率が１段階変化するか、または、以前の状態のまま保持される場合に、基地局４０２は、転送率増加／減少情報４０６を用いて、その転送率を１段階増加(up)、１段階減少(down)、または保持(keep)させるように端末４０８に命令する。
【００３４】
端末４０８が転送すべき端末状態情報４１０は、周期的に転送されたり、または、端末バッファーに新しいデータが生成する度に転送される。このように端末バッファーに新しいデータが生成する度に端末状態情報４１０を転送する場合のように、任意のイベント(event)の生成有無にしたがって転送を遂行することを、イベント反応(Event triggered)転送という。
【００３５】
より具体的に説明すると、端末４０８が、区間４１４で端末状態情報４１０を基地局４０２に伝達すると、基地局４０２は、区間４１８で端末４０８に割り当てる転送率を決定するようになる。この割り当てる転送率が転送率１０であって、端末４０８の現在転送率よりも２段階以上大きければ、基地局４０２は、転送率指示情報４２０を用いて、割り当てられた転送率が転送率１０であることを、端末４０８に知らせる。こうなると、端末４０８は、区間４２２で、基地局４０２から送られてきた転送率指示情報４２０に応じて転送率１０でＥ‐ＤＣＨパケットを転送する。
【００３６】
次の区間４２４で、基地局４０２は、再び端末４０８に割り当てる転送率を決定するが、もし、転送率１０と決定されると、基地局４０２は、転送率増加／減少情報４２６を用いて、転送率の変化がないことを端末４０８に知らせ、これによって、端末は、区間４２８で以前転送率１０でＥ‐ＤＣＨパケットデータを転送することになる。その後に、端末４０８は、基地局４０２から受信する転送率増加／減少情報４０６によって、転送率を１段階ずつ調節したり維持しながら、Ｅ‐ＤＣＨパケットデータを送信する。
【００３７】
区間４３０で、端末４０８のバッファーに新しいデータが入力された場合に、端末４０８は、端末状態情報を基地局４０２に伝達する。こうすると、区間４３２で、基地局４０２は、端末４０８により高い転送率を割り当てるべく、転送率１４を指示する転送率指示情報４０６を、端末４０８に転送する。これによって、区間４３６で、端末４０８は、転送率１１よりも２段階以上高まった転送率１４で、Ｅ‐ＤＣＨパケットを転送することが可能になる。
【００３８】
次に、速い転送率変化が得られる転送率スケジューリング方法において、転送率割当情報を送受信する手順と装置について説明する。
【００３９】
図７は、本発明の好ましい第１の実施形態によって、基地局が転送率割当情報を送信する動作を示す流れ図である。ここで、基地局は、転送率指示情報を使用するか、あるいは、転送率増加／減少情報を使用するかを判断し、この判断結果に基づく転送率割当情報を用いて端末に転送率を割り当てる。
【００４０】
図７を参照すると、ステップＳ５０２で、基地局は、以前区間で使用されたＥ‐ＤＣＨの転送率を確認する。ステップＳ５０４で、基地局は、スケジューリングを通じて端末に割り当てる現在転送率を決定する。ステップＳ５０６で、基地局は、この現在転送率と、決定された以前転送率とを比較する。これら両転送率の差が２段階以上であれば、基地局は、ステップＳ５１８で、あらかじめ格納している転送率テーブルを参照して、現在転送率を転送率指示情報にマッピングし、この転送率指示情報を、ステップＳ５２０で端末に転送する。
【００４１】
一方、上記両転送率の差が０または１段階であれば、基地局は、転送率増加／減少情報を転送すべく、ステップＳ５０８で、在転送率と以前転送率とを比較する。現在転送率が以前転送率よりも高ければ、ステップＳ５１０を遂行し、現在転送率が以前転送率よりも低ければ、ステップＳ５１４を遂行し、現在転送率が以前転送率と等しければ、ステップＳ５１２を遂行する。
【００４２】
ステップＳ５１０，５１２，５１４で、基地局は、現在転送率を、転送率増加／減少情報にマッピングする。すなわち、基地局は、ステップＳ５１０では、現在転送率を増加を表す値、例えば‘＋１’にマッピングし、ステップＳ５１２では、保持を表す値、例えば‘０’にマッピングし、ステップＳ５１４では、減少を表す値、例えば‘−１’にマッピングする。続いて、ステップＳ５１６で、基地局は、定められた転送率増加／減少情報を端末に転送する。
【００４３】
図８は、本発明の好ましい第１の実施形態によって、逆方向スケジューリングにより決定された転送率割当情報を転送する基地局装置の構成を示す図である。
図８を参照すると、送信制御器６２２は、各転送区間ごとに転送率指示情報が転送されるか、あるいは、転送率増加／減少情報が転送されるかを、先に述べた図７の動作によって判断し、この判断結果を、転送率指示情報生成器６０２と転送率増加／減少情報生成器６１４に提供する。転送率指示情報生成器６０２は、図６に示す時間区間４１８，４３２で、特定の使用者端末機のための転送率指示情報を生成する。この転送率指示情報は、多重化器(ＭＵＸ)６０６で、使用者端末機の識別子(ＵＥ ＩＤ)メモリ６０４から読み出した端末識別子と共に多重化する。この多重化した情報は、ＣＲＣ(Cyclic Redundancy Codes)付加器６０８でＣＲＣが付加され、続いてテールビット(Tail Bits)付加器６１０で所定のテールビットが付加された後に、畳み込み符号化器６１２で符号化される。一方、転送率指示情報が転送されない時間区間で、転送率増加／減少情報生成器６１４は、転送率増加／減少情報を生成する。この転送率増加／減少情報は、反復符号化器(Repetition Encoder)６１６で符号化される。続いて、多重化器６１８は、畳み込み符号化器６１２の出力と反復符号化器６１６の出力とを多重化する。この多重化器６１８の出力は、変調器６２０で無線信号に変調された後に無線で送信される。
【００４４】
図９は、本発明の好ましい第１の実施形態によって、逆方向スケジューリングにより決定された転送率割当情報を受信する端末装置の動作を示す流れ図である。
図９を参照すると、ステップＳ７０２で、端末は、転送率指示チャネルを通して基地局から転送率指示情報を受信する。ステップＳ７０４で、端末は、転送率指示情報から端末識別子(ＵＥ ＩＤ)を得、これが自分の識別子と一致するか確認することによって、この転送率指示情報が、端末自身のためのものであるかを判断する。ＵＥ ＩＤが相互に一致すると、端末は、ステップＳ７１８に進み、あらかじめ格納している転送率テーブルから、転送率指示情報に該当する転送率を選択し、これを、現在区間で使用するＥ‐ＤＣＨの転送率として指定した後に、この指定した転送率をもって、ステップＳ７１６で、Ｅ‐ＤＣＨのパケットデータを送信する。
【００４５】
一方、ＵＥ ＩＤが相互に一致しなければ、ステップＳ７０６で、端末は、転送率指示チャネルを通して転送率増加／減少情報を受信する。また、転送率指示チャネルに転送率指示情報が存在しない場合にも、端末は、転送率増加／減少情報を受信する。ステップＳ７０８で、端末は、転送率増加／減少情報を解釈する。もし、この転送率増加／減少情報が増加を意味すれば、ステップＳ７１０で、端末は、自分の転送率を１段階増加させる。転送率増加／減少情報が保持を意味すれば、ステップＳ７１２で、端末は、自分の転送率をそのまま保持し、減少を意味すれば、ステップＳ７１４で、端末は、自分の転送率を１段階減少させる。ステップＳ７１６で、端末は、ステップＳ７１０，７１２，７１４で調節された転送率を用いてＥ‐ＤＣＨのパケットデータを送信する。
【００４６】
図１０は、本発明の好ましい第１の実施形態によって、逆方向スケジューリングにより決定された転送率割当情報を受信する端末装置の構成を示す図である。
図１０を参照すると、転送率指示チャネルを通して受信した信号は、復調器８０２で復調された後に、逆多重化器８０４に入力される。逆多重化器８０４は、復調器８０２の出力を、転送率指示情報を含む信号または転送率増加／減少情報を含む信号に逆多重化する。
【００４７】
まず、ビタビ復号化器８０６が、転送率指示情報を含む信号を復号し出力すれば、ＣＲＣ確認部８０８は、ビタビ復号化器８０６の出力データからＣＲＣを検出して、復号されたデータに誤りがあるか確認し、もし、誤りがなければ、ＣＲＣ以外のデータを逆多重化器８１０に伝達する。逆多重化器８１０は、ＣＲＣ確認部８０８からの出力データを、転送率指示情報と端末識別子に逆多重化し、これらを転送率指示情報分析器８１２と端末識別子メモリ８１４にそれぞれ伝達する。受信制御器８２０は、各区間ごとに、抽出された端末識別子を当該端末の識別子と比較し、転送率指示情報が受信されるか、あるいは、転送率増加／減少情報が受信されるかを、先に述べた図９の動作によって判断し、この判断結果を、転送率指示情報分析器８１２と転送率増加／減少情報生成器８１８に提供する。
【００４８】
一方、他の実施形態において、ＣＲＣ確認部８０８で抽出されたＣＲＣは、端末識別子として使用されることもできる。この場合には、ＣＲＣによって端末が識別されるため、逆多重化器８１０を使用することなく、ＣＲＣ確認部８０８は直接転送率指示情報を出力することが可能になる。
【００４９】
抽出された端末識別子が、当該端末の識別子と一致すれば、転送率指示情報分析器８１２は、転送率指示情報を分析して現在転送率を決定する。一方、抽出された端末識別子が、当該端末の識別子と一致しなければ、転送率増加／減少情報を含む信号が、反復復号化器８１６に伝達される。反復復号化器８１６は、受信信号を復号し、転送率増加／減少情報を転送率増加／減少情報分析器８１８に出力する。転送率増加／減少分析器８１８は、転送率増加／減少情報にしたがって以前転送率を調整することで現在転送率を決定する。
【００５０】
以上に説明した本発明の第１の実施形態において、端末は、転送率指示情報を受信するために、まず、各時間区間ごとに端末識別子を確認し、端末識別子が自分の識別子と一致すれば、転送率指示情報を読み取り、一致しなければ、転送率指示情報の代わりに転送率増加／減少情報を読み取る。ところが、転送率指示情報は、転送率の変化が大きい場合にのみ転送されるため、転送率増加／減少情報に比べて少なく転送されるのが一般的である。特に、複数の端末が一つの基地局に逆方向パケットを転送しているときに、この転送率指示情報の転送が要求されるほど転送率変化が大きい状況は頻繁に起こらないのが大部分である。にもかかわらず、転送率指示情報の有無を判断するために、端末識別子を毎度確認することは、端末にとって負担となり得る。
【００５１】
そこで、以下では、端末が転送率指示情報を得るにあたり、端末の負担を最小限に抑えながら、柔軟性高くスケジューリングを遂行することのできる他の実施形態について説明する。これは、転送率割当情報の送受信タイミングを状況に応じて変化することによって実現可能である。
【００５２】
本発明の第２の実施形態では、転送率指示情報を受信する上での端末の負担を減らすべく、基地局による転送率指示情報の転送を、予め設定される時間区間に制限する。したがって、端末は、予め設定される区間でのみ端末識別子を確認し、この端末識別子が自分のものと一致すれば、転送率指示情報を読み取り、そうでなければ、転送率増加／減少情報を読み取る。一方、他の区間では、端末は端末識別子を確認することなく転送率増加／減少情報のみを確認する。
【００５３】
図１１は、本発明の第２の実施形態によって、逆方向スケジューリングにより決定された転送率割当情報を転送する動作を説明する概念図である。
図１１を参照すると、基地局９０２は、スケジューリングを通じて、端末９０８にＥ‐ＤＣＨで使用する逆方向転送率を割り当てるが、この割り当てられた逆方向転送率を端末に知らせるべく、転送率指示情報９０４または転送率増加／減少情報９０６を使用する。端末９０８は、スケジューリングのための端末状態情報９１０を、周期的またはイベント反応時に基地局９０２に転送し、また、基地局９０２から割り当てられた転送率を用いて、Ｅ‐ＤＣＨパケットデータ９１２を基地局９０２に転送する。本実施形態において、基地局９０２は、端末９０８から端末状態情報９１０を最初に受信する区間９１６で、転送率指示情報を端末９０８に転送し、その後には、予め設定された時間周期９２２，９２４ごとに、例えば、区間９１８，９２０で転送率指示情報を伝達し、その他の区間、例えば９２６では、転送率増加／減少情報のみを送る。
【００５４】
ここで、区間９１６，９１８，９２０でも転送率増加／減少情報だけで転送率割当が可能であると判断されると、すなわち、転送率の変化が０または１段階であれば、基地局９０２は、転送率指示情報を転送する代わりに、転送率増加／減少情報を転送する。ここで、転送率指示情報９０４を送信する周期は、システムで固定されるか、または、逆方向パケット転送の設定時に上位階層から制御信号によって設定される。
【００５５】
次に、本発明の第２の実施形態に従う基地局と端末の動作について、図１４及び図１５を参照して説明する。
図１４は、本発明の第２の実施形態によって、逆方向転送率割当情報を転送する基地局の動作を示す流れ図である。
図１４を参照すると、基地局は、ステップＳ１２０２で、現在区間が転送率指示情報の転送のために予め設定された区間であるか確認することによって、現在区間で転送率指示情報を転送するか否かを判断する。第２の実施形態では、転送率指示情報が、通信開始の後から予め設定される時間周期ごとに繰り返し転送されると仮定する。
【００５６】
もし、転送率指示情報が現在区間で転送されるようにスケジューリングされていないと、基地局は、ステップＳ１２０４で、現在区間で端末に割り当てる転送率を決定する。ここで、基地局は、以前転送率と０または１段階の差を持つように現在転送率を決定する。ステップＳ１２０６で、基地局は、現在転送率と以前転送率とを比較する。この比較の結果、現在転送率が以前転送率よりも１段階高ければ、ステップＳ１２０８で、転送率増加／減少情報を‘＋１’にマッピングし、現在転送率が以前転送率と等しければ、ステップＳ１２１０で、転送率増加／減少情報を‘０’にマッピングし、現在転送率が以前転送率よりも１段階低ければ、ステップＳ１２１２で転送率増加／減少情報を‘−１’にマッピングする。これら転送率増加／減少情報は、ステップＳ１２１４で転送される。
【００５７】
一方、ステップＳ１２０２で、転送率指示情報が現在区間で転送可能であれば、基地局は、ステップＳ１２１６で、以前転送率を確認した後に、ステップＳ１２１８で、端末に割り当てるべき現在転送率を決定する。続いて、ステップＳ１２２０で、基地局は、両転送率の差を比較し、この差が２段階以上であれば、ステップＳ１２２２に進行し、そうでなければ、ステップＳ１２０６に進行する。ステップＳ１２０６に進行した場合の動作は、前述した通りである。一方、ステップＳ１２２２で、基地局は、現在転送率を転送率指示情報にマッピングする。この転送率指示情報は、ステップＳ１２２４で端末に転送される。
【００５８】
図１５は、本発明の第２の実施形態によって、転送率割当情報を受信する端末の動作を示す流れ図である。
図１５を参照すると、ステップＳ１３０２で、端末は、現在区間が転送率指示情報を受信するように予め設定された区間であるか否かを確認することによって、現在区間での転送率指示情報の受信可否を判断する。ここで、転送率指示情報は、通信開始の後から予め設定される時間周期ごとに繰り返し受信される。もし、転送率指示情報を現在区間で受信するようにスケジューリングされていなければ、端末は、ステップＳ１３０４で、転送率増加／減少情報を受信する。
【００５９】
続いて、ステップＳ１３０６で、端末は、転送率増加／減少情報を分析する。この分析の結果、転送率増加／減少情報が‘＋１’であれば、ステップＳ１３０８で、端末は、現在転送率が以前転送率よりも１段階高いと判断し、‘０’であれば、ステップＳ１３０８で、現在転送率が以前転送率と等しいと判断し、‘−１’であれば、ステップＳ１３１２で、現在転送率が以前転送率よりも１段階低いと判断する。続いて、ステップＳ１３１４で、端末は、以前転送率を確認し、ステップＳ１３１６で、ステップＳ１３０８，１３１０または１３１２での判断結果と以前転送率によって現在転送率を決定する。
【００６０】
一方、ステップＳ１３０２で、転送率指示情報の受信が可能であれば、端末は、ステップＳ１３１８で、転送率指示情報を受信する。続いて、ステップＳ１３２０で、端末は、転送率指示情報と共に送られてきた端末識別子が、自分のものと一致するか否かを確認する。これら端末識別子が相互に一致しなければ、ステップＳ１３０４に進行し、前述した方法と同様に、以前転送率によって現在転送率を決定する。一方、端末識別子が相互に一致すれば、ステップＳ１３２２で、端末は、転送率指示情報を読み取り、この転送率指示情報に基づいて、ステップＳ１３１６で現在転送率を決定する。
【００６１】
本発明による第３の実施形態では、端末の転送率指示情報を受信する上での負担を減らすべく、端末の状態情報が逆方向に伝達される場合にのみ、基地局が転送率指示情報を転送する。したがって、端末は、基地局に端末状態情報を転送した場合にのみ、転送率指示情報を読み取ろうと試み、そうでなければ、端末は、転送率指示情報が伝達されてこないことをあらかじめ知っているので、転送率増加／減少情報のみを読み取る。
【００６２】
図１２は、本発明の第３の実施形態によって、逆方向スケジューリングにより決定された転送率割当情報を転送する動作を説明する概念図である。
図１２を参照すると、基地局１００２は、スケジューリングを通じて端末１００８に逆方向転送率を割り当てるが、この割り当てられた逆方向転送率を端末１００８に通報するために、転送率指示情報１００４または転送率増加／減少情報１００６を使用する。端末１００８は、スケジューリングのための端末状態情報１０１０を周期的またはイベント反応の原則によって基地局１００２に転送し、基地局１００２から割り当てられた転送率を用いて、Ｅ‐ＤＣＨパケットデータ１０１２を転送する。
【００６３】
本実施形態で、基地局１００２は、端末１００８が端末状態情報１０１０を転送する区間１０１４，１０１８，１０２２に対応する順方向区間１０１６，１０２０，１０２４で、転送率指示情報１００４を端末１００８に転送する。その他の区間では、基地局１００２は、転送率指示情報１００４の代わりに転送率増加／減少情報１００６を送る。ところが、端末１００８から端末状態情報１０１０を受信した区間１０１６，１０２０，１０２４でも、転送率増加／減少情報だけで転送率の割当が可能であれば、すなわち、区間１０１６，１０２０，１０２４で割り当てられた転送率の変化が、０または１段階であれば、基地局１００２は、転送率増加／減少情報１００６を転送する。
【００６４】
次に、本発明の第３の実施形態に従う基地局と端末の動作について、図１４及び図１５を参照して説明する。
図１４は、本発明の第３の実施形態によって、逆方向転送率割当情報を転送する基地局の動作を示す流れ図である。
図１４を参照すると、基地局は、ステップＳ１２０２で、端末から端末状態情報を受信したか否かを確認することによって、現在区間での転送率指示情報転送の可否を判断する。第３の実施形態において、基地局は、所定の時間周期以内に端末状態情報を受信すると、現在区間で転送率指示情報の転送が可能であると判断する。
【００６５】
もし、現在区間が転送率指示情報を転送できない区間であれば、基地局は、ステップＳ１２０４で、現在区間で端末に割り当てる転送率を決定する。ここで、基地局は、以前転送率と０または１段階の差を持つように現在転送率を決定する。ステップＳ１２０６で、基地局は、現在転送率と以前転送率とを比較する。この比較結果、現在転送率が以前転送率よりも１段階高ければ、ステップＳ１２０８で、転送率増加／減少情報を‘＋１’にマッピングし、現在転送率が以前転送率と等しければ、ステップＳ１２１０で、転送率増加／減少情報を‘０’にマッピングし、現在転送率が以前転送率よりも１段階低ければ、ステップＳ１２１２で転送率増加／減少情報を‘−１’にマッピングする。これら転送率増加／減少情報は、ステップＳ１２１４で転送される。
【００６６】
一方、ステップＳ１２０２で、転送率指示情報が現在区間で転送可能であれば、基地局は、ステップＳ１２１６で、以前転送率を確認した後に、ステップＳ１２１８で、端末に割り当てるべき現在転送率を決定する。続いて、ステップＳ１２２０で、基地局は、両転送率の差を比較し、この差が２段階以上であれば、ステップＳ１２２２に進行し、そうでなければ、ステップＳ１２０６に進行する。ステップＳ１２０６に進行した場合の動作は、前述した通りである。一方、ステップＳ１２２２で、基地局は、現在転送率を転送率指示情報にマッピングする。この転送率指示情報は、ステップＳ１２２４で端末に転送される。
【００６７】
図１５は、本発明の第３の実施形態によって、転送率割当情報を受信する端末の動作を示す流れ図である。
図１５を参照すると、ステップＳ１３０２で、端末は、端末状態情報を基地局に転送したか否かを確認することによって、現在区間での転送率指示情報受信の可否を判断する。もし、端末が、所定の時間周期以内に端末状態情報を転送した場合には、現在区間で転送率指示情報の受信が可能であるものと判断する。もし、転送率指示情報を現在区間で受信するようにスケジューリングされていなければ、端末は、ステップＳ１３０４で、転送率増加／減少情報を受信する。
【００６８】
続いて、ステップＳ１３０６で、端末は、転送率増加／減少情報を分析する。この分析の結果、転送率増加／減少情報が‘＋１’であれば、ステップＳ１３０８で、端末は、現在転送率が以前転送率よりも１段階高いと判断し、‘０’であれば、ステップＳ１３０８で、現在転送率が以前転送率と等しいと判断し、‘−１’であれば、ステップＳ１３１２で、現在転送率が以前転送率よりも１段階低いと判断する。続いて、ステップＳ１３１４で、端末は、以前転送率を確認し、ステップＳ１３１６で、ステップＳ１３０８，１３１０または１３１２での判断結果と以前転送率によって現在転送率を決定する。
【００６９】
一方、ステップＳ１３０２で、転送率指示情報の受信が可能であれば、端末は、ステップＳ１３１８で、転送率指示情報を受信する。続いて、ステップＳ１３２０で、端末は、転送率指示情報と共に送られてきた端末識別子が、自分のものと一致するか否かを確認する。これら端末識別子が相互に一致しなければ、ステップＳ１３０４に進行し、前述した方法と同様に、以前転送率によって現在転送率を決定する。一方、端末識別子が相互に一致すれば、ステップＳ１３２２で、端末は、転送率指示情報を読み取り、この転送率指示情報に基づいて、ステップＳ１３１６で現在転送率を決定する。
【００７０】
本発明による第４の実施形態では、端末の転送率指示情報を受信する上での負担を減らすべく、端末の状態情報が逆方向に伝達される場合または予め設定された時間周期ごとに、基地局が転送率指示情報を転送する。すなわち、基地局は、端末から状態情報を受信した場合または予め設定される区間でのみ、転送率指示情報を転送する。したがって、端末は、該当する区間でのみ転送率指示情報を読み取ろうと試み、転送された端末状態情報がないか、または、予め設定された時間周期が経過しない場合には、受信する転送率指示情報がないことをあらかじめ知っているので、転送率増加／減少情報を読み取る。
【００７１】
図１３は、本発明の第４の実施形態によって、逆方向スケジューリングにより決定された転送率割当情報を転送する動作を説明する概念図である。
図１３を参照すると、基地局１１０２は、スケジューリングを通じて端末１１０８に逆方向転送率を割り当てるが、この割り当てられた逆方向転送率を端末１１０８に知らせるために、転送率指示情報１３０２または転送率増加／減少情報１１０６を使用する。端末１１０８は、基地局１１０２にスケジューリングのための端末状態情報１１１０を、周期的またはイベント反応の原則によって転送し、また、基地局１１０２から割り当てられた転送率を用いて、Ｅ‐ＤＣＨパケットデータ１１１２を転送する。
【００７２】
本実施形態で、基地局１１０２は、端末状態情報１１１０を受信した場合または予め設定された時間周期ごとに、転送率指示情報１１０４を端末１１０８に送る。すなわち、端末１１０８が、逆方向パケットの転送を始めるために、区間１１１４で最初の端末状態情報を基地局１１０２に転送する場合に、基地局１１０２は、この最初の端末状態情報に応答して、区間１１１６で転送率指示情報を端末１１０８に転送する。その後に、基地局１１０２は、区間１１１６の後から予め設定された周期１１２６ごとに転送率指示情報を繰り返し転送する。すなわち、基地局１１０２は、区間１１１８，１１２４で転送率指示情報を転送するようになる。
【００７３】
また、パケット通信を始めた後に、区間１１２０で、端末１１０８が端末状態情報を基地局１１０２に転送すると、基地局１１２０は、区間１１２０に対応する区間１１２２で、転送率増加／減少情報の代わりに転送率指示情報を、端末１１０８に転送する。すなわち、基地局１１０２は、端末１１０８から端末状態情報１１１０を受信した場合または予め設定された周期１１２６ごとに、転送率指示情報１１０４を端末１１０８に転送する。その他の区間では、基地局１１０２は、転送率増加／減少情報のみを送る。
【００７４】
ところが、区間１１１６，１１１８，１１２２，１１２４でも、転送率増加／減少情報だけで端末１１０８への転送率割当が可能であれば、すなわち、転送率の変化が、０または１段階であれば、基地局１１０２は、転送率指示情報を転送する代わりに、転送率増加／減少情報を転送することができる。ここで、転送率指示情報１１０４を送信する周期は、システムで固定されるか、または、逆方向パケット転送の設定時に上位階層から制御信号によって設定される。
【００７５】
次に、本発明の第４の実施形態に従う基地局と端末の動作について、図１４及び図１５を参照して説明する。
図１４は、本発明の第４の実施形態によって、逆方向転送率割当情報を転送する基地局の動作を示す流れ図である。
図１４を参照すると、基地局は、ステップＳ１２０２で、予め設定された時間周期が経過したか、あるいは、端末状態情報が受信されたか否かを確認することによって、現在区間での転送率指示情報転送の可否を判断する。第４の実施形態において、予め設定された時間周期または端末状態情報の受信によって、転送率指示情報が転送される時間になると、基地局は、現在区間での転送率指示情報の転送可否を判断する。この転送率指示情報は、通信が始まった後から、所定の時間周期で周期的に転送されるようにスケジューリングされるか、端末状態情報が所定の以前区間以内に受信されるときに、転送されるようにスケジューリングされる。
【００７６】
もし、転送率指示情報が現在区間で転送されるようにスケジューリングされていないと、基地局は、ステップＳ１２０４で、現在区間で端末に割り当てる転送率を決定する。ここで、基地局は、以前転送率と０または１段階の差を持つように現在転送率を決定する。ステップＳ１２０６で、基地局は、現在転送率と以前転送率とを比較する。この比較結果、現在転送率が以前転送率よりも１段階高ければ、ステップＳ１２０８で、転送率増加／減少情報を‘＋１’にマッピングし、現在転送率が以前転送率と等しければ、ステップＳ１２１０で、転送率増加／減少情報を‘０’にマッピングし、現在転送率が以前転送率よりも１段階低ければ、ステップＳ１２１２で転送率増加／減少情報を‘−１’にマッピングする。これら転送率増加／減少情報は、ステップＳ１２１４で転送される。
【００７７】
一方、ステップＳ１２０２で、転送率指示情報が現在区間で転送可能であれば、基地局は、ステップＳ１２１６で、以前転送率を確認した後に、ステップＳ１２１８で、端末に割り当てるべき現在転送率を決定する。続いて、ステップＳ１２２０で、基地局は、両転送率の差を比較し、この差が２段階以上であれば、ステップＳ１２２２に進行し、そうでなければ、ステップＳ１２０６に進行する。ステップＳ１２０６に進行した場合の動作は、前述した通りである。一方、ステップＳ１２２２で、基地局は、現在転送率を転送率指示情報にマッピングする。この転送率指示情報は、ステップＳ１２２４で端末に転送される。
【００７８】
図１５は、本発明の第４の実施形態によって、転送率割当情報を受信する端末の動作を示す流れ図である。
図１５を参照すると、ステップＳ１３０２で、端末は、現在区間が転送率指示情報を受信するように予め設定された区間であるか否か、または、基地局に端末状態情報を転送したか否かを確認することによって、現在区間での転送率指示情報の受信可否を判断する。ここで、転送率指示情報は、通信開始の後から予め設定される時間周期ごとに繰り返し受信される。また、予め設定された時間周期以内に端末状態情報が転送されると、端末は、現在区間での転送率指示情報の受信が可能であると見なす。一方、転送率指示情報が現在区間で受信されないと判断される場合に、端末は、ステップＳ１３０４で、転送率増加／減少情報を受信する。
【００７９】
続いて、ステップＳ１３０６で、端末は、転送率増加／減少情報を分析する。この分析の結果、転送率増加／減少情報が‘＋１’であれば、ステップＳ１３０８で、端末は、現在転送率が以前転送率よりも１段階高いと判断し、‘０’であれば、ステップＳ１３０８で、現在転送率が以前転送率と等しいと判断し、‘−１’であれば、ステップＳ１３１２で、現在転送率が以前転送率よりも１段階低いと判断する。続いて、ステップＳ１３１４で、端末は、以前転送率を確認し、ステップＳ１３１６で、ステップＳ１３０８，１３１０または１３１２での判断結果と以前転送率によって現在転送率を決定する。
【００８０】
一方、ステップＳ１３０２で、転送率指示情報の受信が可能であれば、端末は、ステップＳ１３１８で、転送率指示情報を受信する。続いて、ステップＳ１３２０で、端末は、転送率指示情報と共に送られてきた端末識別子が、自分のものと一致するか否かを確認する。これら端末識別子が相互に一致しなければ、ステップＳ１３０４に進行し、前述した方法と同様に、以前転送率によって現在転送率を決定する。一方、端末識別子が相互に一致すれば、ステップＳ１３２２で、端末は、転送率指示情報を読み取り、この転送率指示情報に基づいて、ステップＳ１３１６で現在転送率を決定する。
【００８１】
図８に示す基地局の送信装置及び図１０に示す端末の受信装置の構造は、第２ないし第４の実施形態に共通している。ただし、送信装置の送信制御器６２２は、各実施形態にしたがって、予め設定される周期、端末状態情報の有無、及び現在転送率と以前転送率との差を含む異なる基準を用いて、現在区間で転送率指示情報を転送するか否かを判断する。また、受信装置の受信制御器８２０は、各実施形態にしたがって、端末識別子の一致状態、予め設定される周期、端末状態情報の転送有無を含む異なる基準を用いて、現在区間での転送率指示情報の受信可否を判断する。
【００８２】
以上では具体例に上げて説明してきたが、これらの具体例に本発明が限定されるのではなく、本発明の範囲を外れない限り各種の変形が可能であることは、当該技術分野で通常の知識をもつ者にとって明らかである。したがって、本発明の範囲は、特許請求の範囲並びに該範囲と均等なものによって定められるべきである。
【図面の簡単な説明】
【００８３】
【図１】ＵＭＴＳシステムの無線接続ネットワーク(ＵＴＲＡＮ)を示す構成図である。
【図２】端末機と無線網制御器(ＲＮＣ)間のインターフェースを示す階層図である。
【図３】典型的な無線リンクでＥ‐ＤＣＨを通したデータの転送を示す概念図である。
【図４】Ｅ‐ＤＣＨを通した送受信手順を示すメッセージ流れ図である。
【図５】転送率スケジューリングのための逆方向／順方向の制御情報伝達と、転送率スケジューリングにより制御される逆方向転送率を示す図である。
【図６】本発明の第１の実施形態によって逆方向スケジューリングにより決定された転送率割当情報を転送する動作を示す図である。
【図７】本発明の好ましい第１の実施形態によって、転送率割当情報を基地局が送信する動作を示す流れ図である。
【図８】本発明の好ましい第１の実施形態によって、逆方向スケジューリングにより決定された転送率割当情報を転送する基地局装置の構成図である。
【図９】本発明の好ましい第１の実施形態によって、逆方向スケジューリングにより決定された転送率割当情報を受信する端末動作を示す流れ図である。
【図１０】本発明の好ましい第１の実施形態によって、逆方向スケジューリングにより決定された転送率割当情報を受信する端末装置の構成図である。
【図１１】本発明の第２の実施形態によって、逆方向スケジューリングにより決定された転送率割当情報を転送する動作を説明する概念図である。
【図１２】本発明の第３の実施形態によって、逆方向スケジューリングにより決定された転送率割当情報を転送する動作を説明する概念図である。
【図１３】本発明の第４の実施形態によって、逆方向スケジューリングにより決定された転送率割当情報を転送する動作を説明する概念図である。
【図１４】本発明の第２ないし第４の実施形態によって、転送率割当情報を転送する基地局の動作を示す流れ図である。
【図１５】本発明の第２ないし第４の実施形態によって、転送率割当情報を受信する端末の動作を示す流れ図である。
【符号の説明】
【００８４】
４０２・・・基地局
４０４・・・転送率指示情報
４０６・・・転送率増加／減少情報
４０８・・・端末
４１０・・・端末状態情報
４１２・・・逆方向パケット
６０２・・・転送率指示情報生成器
６０４・・・識別子(ＵＥ ＩＤ)メモリ
６０６・・・多重化器
６０８・・・ＣＲＣ付加器
６１０・・・テールビット付加器
６１２・・・畳み込み符号化器
６１４・・・転送率増加／減少情報生成器
６１６・・・反復符号化器
６１８・・・多重化器
６２０・・・変調器
６２２・・・送信制御器
８０２・・・復調器
８０４・・・逆多重化器
８０６・・・ビタビ復号化器
８０８・・・ＣＲＣ確認部
８１０・・・逆多重化器
８１２・・・転送率指示情報分析器
８１４・・・端末識別子メモリ
８１６・・・反復復号化器
８１８・・・転送率増加／減少情報生成器
８２０・・・受信制御器
【図１】
2005117654.tif 000003
【図２】
2005117654.tif 000004
【図３】
2005117654.tif 000005
【図４】
2005117654.tif 000006
【図５】
2005117654.tif 000007
【図６】
2005117654.tif 000008
【図７】
2005117654.tif 000009
【図８】
2005117654.tif 000010
【図９】
2005117654.tif 000011
【図１０】
2005117654.tif 000012
【図１１】
2005117654.tif 000013
【図１２】
2005117654.tif 000014
【図１３】
2005117654.tif 000015
【図１４】
2005117654.tif 000016
【図１５】
2005117654.tif 000017
【外国語明細書】
2005117654.tif 000018
2005117654.tif 000019
2005117654.tif 000020
2005117654.tif 000021
2005117654.tif 000022
2005117654.tif 000023
2005117654.tif 000024
2005117654.tif 000025
2005117654.tif 000026
2005117654.tif 000027
2005117654.tif 000028
2005117654.tif 000029
2005117654.tif 000030
2005117654.tif 000031
2005117654.tif 000032
2005117654.tif 000033
2005117654.tif 000034
2005117654.tif 000035
2005117654.tif 000036
2005117654.tif 000037
2005117654.tif 000038
2005117654.tif 000039
2005117654.tif 000040
2005117654.tif 000041
2005117654.tif 000042
2005117654.tif 000043
2005117654.tif 000044
2005117654.tif 000045
2005117654.tif 000046
2005117654.tif 000047
2005117654.tif 000048
2005117654.tif 000049
2005117654.tif 000050
2005117654.tif 000051
2005117654.tif 000052
2005117654.tif 000053
2005117654.tif 000054
2005117654.tif 000055
2005117654.tif 000056
2005117654.tif 000057
2005117654.tif 000058
2005117654.tif 000059
2005117654.tif 000060
2005117654.tif 000061
2005117654.tif 000062
2005117654.tif 000063
2005117654.tif 000064
2005117654.tif 000065
2005117654.tif 000066
2005117654.tif 000067
2005117654.tif 000068
2005117654.tif 000069
2005117654.tif 000070
2005117654.tif 000071
2005117654.tif 000072
2005117654.tif 000073
2005117654.tif 000074
2005117654.tif 000075
2005117654.tif 000076
2005117654.tif 000077
2005117654.tif 000078
2005117654.tif 000079
2005117654.tif 000080
2005117654.tif 000081